(57)【要約】      （修正有）【課題】地震、その他の原因によって観賞魚用水槽に震動が加わった場合に、内部の水が給餌口から放出することを抑える観賞魚用水槽の給餌口装置を提供する。【解決手段】二辺１ａ，１ｂが水槽の隅部の上枠１１上に載置され、残る一辺の下面にガラス蓋１６の切欠部１６ａを受入れる段部２が形成され、略中央部給餌口３が形成された三角形の本体部４と、前記二辺１ａ，１ｂの下面部にそれぞれ形成され、前記上枠１１の下面部にそれぞれ係止するフック部５ａ，５ｂと、前記給餌口３に設けられた蓋体１８とからなる。【選択図】図３
0003180407.tif 000002
【実用新案登録請求の範囲】
【請求項１】
二辺が水槽の隅部の上枠上に載置され、残る一辺の下面にガラス蓋の切欠部を受入れる段部が形成され、略中央部に給餌口が形成された三角形の本体部と、前記二辺の下面部にそれぞれ形成され、前記上枠の下面部にそれぞれ係止するフック部と、前記給餌口に設けられた蓋体とからなることを特徴とする観賞魚用水槽の給餌口装置。
【請求項２】
前記本体部及びフック部を可撓性素材で構成したことを特徴とする請求項１に記載の観賞魚用水槽の給餌口装置。
【請求項３】
前記可撓性素材がゴムであることを特徴とする請求項２に記載の観賞魚用水槽の給餌口装置。
【請求項４】
前記可撓性素材がプラスチックであることを特徴とする請求項２に記載の観賞魚用水槽の給餌口装置。
【考案の詳細な説明】
【技術分野】
【０００１】
本考案は、地震、その他の原因によって観賞魚用水槽に震動が加わった場合に、内部の水が従前の給餌口から放出することを抑える観賞魚用水槽の給餌口装置に関する。
【背景技術】
【０００２】
従来、図５に示すように、水槽１０を構成する上枠１１の上面後部には、ろ過槽１２、循環ポンプ１３等からなる水循環装置１４が支持され、前記上枠１１の上面前部には、角部を三角形状に切欠して給餌口１５を設けたガラス蓋１６を設けた観賞魚用水槽が提供されている（特許文献１）。
【０００３】
前記観賞魚用水槽の前記水循環装置１４及び前記ガラス蓋１６は、前記上枠１１の内周部に一段低く成形された段部１７に載置支持され、水槽１０内部の清掃などの場合には取外しができるように構成されている。
【特許文献１】実開平２−７０６６９号公報
【考案の概要】
【考案が解決しようとする課題】
【０００４】
前記構成の観賞魚用水槽に地震、その他の原因によって震動が加わると、内部の水が揺動され、水槽の隅部に形成された前記給餌口１５から内部の水が外部に放出され、室内等を汚すとともに観賞魚に傷をつける場合があった。
【０００５】
本考案は、前記事情に鑑み、前記観賞魚用水槽に地震、その他の原因によって震動が加わった場合にも内部の水の放出を抑える給餌口装置を提供することを目的とする。
【０００６】
さらに、本考案は、市販されている従前の観賞魚用水槽に簡単に取付けて使用することができる給餌口装置を提供することを目的とする。
【課題を解決するための手段】
【０００７】
前記課題を解決するため、本考案は、二辺が水槽の隅部の上枠上に載置され、残る一辺の下面にガラス蓋の切欠部を受入れる段部が形成され、略中央部に給餌口が形成された三角形の本体部と、前記二辺の下面部にそれぞれ形成され、前記上枠の下面部にそれぞれ係止するフック部と、前記給餌口に設けられた蓋体とからなることを特徴とする（請求項１）
前記本考案によれば、従前の給餌口が前記三角形の本体部と蓋体によって閉塞される。さらに該三角形の本体部が前記フックによって前記上枠の下面部にそれぞれ係止される。したがって、前記観賞魚用水槽に地震、その他の原因によって震動が加わった場合にも水槽内部の水の放出が抑えられる。なお、給餌の場合には前記蓋体を開けて行えばよい。
【０００８】
本考案の実施の一形態は、前記本体部及びフック部を可撓性素材で構成したことを特徴とする（請求項２）。この実施の一形態によれば、前記本体部及びフック部を変形させることができるためその取付け及び取外しが容易である。なお、前記蓋体も可撓性素材としてもよい。
【０００９】
本考案の実施の一形態は、前記可撓性素材がゴムであることを特徴とする（請求項３）。この実施の一形態によればゴムの可撓性を任意に選択してその取付け及び取外しを容易に行うことができる。
【００１０】
本考案の実施の一形態は、前記可撓性素材がプラスチックであることを特徴とする（請求項４）。この実施の一形態によっても前記ゴムと同様に可撓性を任意に選択して取付け及び取外しを容易に行うことができる。
【考案の効果】
【００１１】
前記本考案によれば、地震、その他の原因によって観賞魚用水槽に震動が加わった場合にも内部の水が給餌口から放出させられることが抑えられ、室内等を汚したり、さらに観賞魚に傷をつけることがなく、さらにまた、市販されている従前の観賞魚用水槽に簡単に取付けて使用することができる。
【図面の簡単な説明】
【００１２】
【図１】本考案の実施の一形態に係る給餌口装置の平面図である。
【図２】図１のＡ−Ａ線断面図である。
【図３】本考案に係る給餌口構造の使用状態を示す平面図である。
【図４】図３のＢ−Ｂ線断面図である。
【図５】従来の観賞魚用水槽の斜視図である。
【考案を実施するための形態】
【００１３】
以下に、添付図面を参照して、本考案を実施するための最良の形態について説明する。
【００１４】
本考案の給餌口装置は、水槽１０の隅部の上枠１１上に載置される二辺１ａ，１ｂが直角に形成され、残る一辺１ｃの下面にガラス蓋１６の切欠部１６ａの端部を受入れる段部２が形成され、略中央部に給餌口３が形成された三角形の本体部４と、前記二辺１ａ，１ｂの下面の略中間部にそれぞれ形成され、前記上枠１１の下面部１１ａにそれぞれ係止するフック部５ａ，５ｂと、前記給餌口３に設けられた蓋体１８とからなる。
【００１５】
前記本体部４及びフック部５ａ，５ｂは可撓性素材のゴムあるいはプラスチックで一体成形により構成することが好ましい。その結果、変形させて前記上枠１１とガラス蓋１６の間へ容易に取付けることができる。また、蓋体１８は給餌口３にきつく適合させるようにすることが望ましい。
【００１６】
前記構成の本考案は、図３及び図４に示すように、二辺１ａ，１ｂが水槽１０の隅部の上枠１１の段部１７に載置され、残る一辺１ｃに形成された段部２が前記ガラス蓋１６の切欠部１６ａを受入れる。
【００１７】
同時に、図２に示すように、前記二辺１ａ，１ｂの下面にそれぞれ形成したフック５ａ，５ｂが前記上枠１１の下面部１１ａに係止させられて本考案の給餌口装置は前記上枠１１とガラス蓋１６との間に完全に適合固定される。
【００１８】
その結果、従前の給餌口１５が本考案の給餌口装置によって閉塞され、地震等の振動時にも水槽内部の水の放出が抑えられ該水放出に伴う室内の汚れ等を防止することができる。
【００１９】
なお、給餌は前記本体部４を取り外すことなく、前記給餌口３の蓋体１８を外して行えばよい。
【符号の説明】
【００２０】
１ａ，１ｂ    二辺
２    一辺
３    給餌口
４    本体部
５ａ，５ｂ    フック部
１０    水槽
１１    上枠
１６    ガラス蓋
１６ａ    切欠部
１８    蓋体
【図１】
0003180407.tif 000003
【図２】
0003180407.tif 000004
【図３】
0003180407.tif 000005
【図４】
0003180407.tif 000006
【図５】
0003180407.tif 000007